(57)【特許請求の範囲】
【請求項１】
上壁と底壁と左右の側壁とを備え少なくとも前面側に形成された開口部を通じて外部に開放される収納空間を有する家具本体と、
前記収容空間内において起立姿勢で配置され該収容空間を左右に区画し得る中仕切り部材とを具備してなり、
該中仕切り部材を外部から前記開口部を通じて該収納空間内に抜き挿し可能に挿入することで位置変更可能に保持する保持部を前記家具本体に形成するとともに、
前記保持部による任意の配置位置へ中仕切り部材が略直立姿勢から傾斜して挿入されることを防止する傾斜防止手段を設け、
中仕切り部材の少なくとも一方の外側面と、該外側面と対向する家具本体の側壁内面とに、左右に対をなして奥行き方向に延び収納空間を更に上下に区画する棚板を開口部から挿入させて支持し得る棚受け溝を形成し、
前記棚受け溝に、前記開口部における開口縁部において挿入された棚板の抜き出し方向への水平移動を規制する段部を形成していることを特徴とする収納家具。
【請求項２】
保持部が、上壁及び底壁における相互に対向する位置にそれぞれ上下に対をなして形成され前記開口部から奥行き方向に延びる所定幅寸法を有する複数のガイド溝からなることを特徴とする請求項１記載の収納家具。
【請求項３】
複数のガイド溝を、家具本体の幅方向に所定間隔で形成していることを特徴とする請求項２記載の収納家具。
【請求項４】
ガイド溝の底部を前記開口部における開口縁部と略同一の高さ位置に設定するとともに、隣接するガイド溝間に前記開口縁部から突出して奥行き方向に延びる突条を形成していることを特徴とする請求項２又は３記載の収納家具。
【請求項５】
傾斜防止手段が、前記突条と、中仕切り部材が直立姿勢から傾斜した際に該突条と干渉するように中仕切り部材の上端部及び下端部に形成された干渉部からなることを特徴とする請求項４記載の収納家具。
【請求項６】
中仕切り部材が前記ガイド溝の幅寸法よりも薄い板状の中仕切り本体を具備し、少なくとも上下何れかの前記干渉部が中仕切り本体の上端部又は下端部の少なくとも一方においてガイド溝に挿入可能且つ該中仕切り本体よりも幅広に形成された板状をなすものであることを特徴とする請求項５記載の収納家具。
【請求項７】
前記中仕切り本体を、前記干渉部を形成した芯材と、該芯材を両側方から抱き合わせた位置で相互に係り合わされる一対の仕切り板とから構成していることを特徴とする請求項６記載の収納家具。
【請求項８】
前記棚受け溝を、上下方向に所定間隔で複数形成していることを特徴とする請求項１、２、３、４、５、６又は７記載の収納家具。
【請求項９】
中仕切り部材の外側面を、前記棚受け溝を形成した仕切り板により構成し、該仕切り板と同一構成の側板によって家具本体の側壁内面を構成していることを特徴とする請求項１、２、３、４、５、６、７又は８記載の収納家具。
【請求項１０】
家具本体の側壁が、枠体及びそれに嵌め込んで支持されるパネル板を具備する側部パネルを主体としてなり、パネル板の内側面に前記仕切り板を取り付けるようにしていることを特徴とする請求項９記載の収納家具。
【請求項１１】
前記枠体を介して複数の家具本体を連結し得るようにしていることを特徴とする請求項１０記載の収納家具。
【請求項１２】
上壁及び底壁が、それぞれ平板状をなす天板及び底板を主体としてなり、それら天板及び底板の相互に対向する面に、前記ガイド溝を形成してなるシート材をそれぞれ取り付けた構成を有していることを特徴とする請求項２、３、４又は６記載の収納家具。
【請求項１３】
家具本体における開口部と前後方向に対向する位置に、背壁を着脱可能に取り付け得るようにしていることを特徴とする請求項２、３、４、５、６、７、８、９、１０、１１又は１２記載の収納家具。
【発明の詳細な説明】
【０００１】
【発明の属する技術分野】
本発明は、種々の物品を収納し得る収納空間を有する収納家具に関するものである。
【０００２】
【従来の技術】
従来より収納家具において、家具本体に形成された収納空間内に仕切り板等を配置することにより収納空間を仕切って複数に区画するようにしたものが種々考えられている。例えば、家具本体の上下、左右、前後の何れかの対向壁に相対向させたガイド溝を複数形成し、そのうちいずれか一対の対向するガイド溝に仕切り板を挿入するようにした構成のものが従来の収納家具に該当する。具体的にこの種の収納家具としては、前面側を開口するとともに上壁及び下壁、又は両側壁にガイド溝を設け、奥行き方向に起立姿勢又は水平姿勢で仕切り板を挿入するようにした収納棚や、上方に開口するとともに前壁及び後壁、又は両側壁にガイド溝を設け、下方に向けて起立姿勢で仕切り板を挿入するようにしたワゴン等が挙げられる。
【０００３】
【発明が解決しようとする課題】
ところが、このような構成の収納家具において、収納空間の容積ができるだけ狭められることがないように仕切り板の厚みを薄いものとした場合、仕切り板を装着しようとすると、仕切り板が傾いた姿勢でその両端部が、対向する一対のガイド溝にではなく例えば一方のガイド溝とそれに対面するガイド溝の隣のガイド溝とに対して挿入されてしまうという不具合がある。その状態で仕切り板を装着するのは容易ではなく、無理に押し込むと挿入されたガイド溝に仕切り板が噛みついて抜き差しならなくなってしまう。このような不具合を解消するべく、仕切り板の厚みを大きくすると、その仕切り板の存在により却って収納空間が狭められてしまうことになる。また、厚い仕切り板に対応してガイド溝の幅寸法も大きくしなければならないが、そうすると収納空間内に設定し得るガイド溝の本数を減少させるを得ず、仕切り板によって区画される各空間の大きさ変更の自由度が低下することにもなる。
【０００４】
そこで本発明は、以上のような問題に鑑みてなされたものであり、簡単な構成で中仕切り部材を正確且つ容易に収納空間に挿入できるようにした収納家具を提供することを主たる目的とするものである。また、このような収納家具において、収納空間の容積を不必要に狭めることのない多様な仕切り方も実現し得るようにしている。
【０００５】
【課題を解決するための手段】
すなわち、本発明の収納家具は、上壁と底壁と左右の側壁とを備え少なくとも前面側に形成された開口部を通じて外部に開放される収納空間を有する家具本体と、前記収容空間内において起立姿勢で配置され該収容空間を左右に区画し得る中仕切り部材とを具備してなり、該中仕切り部材を外部から前記開口部を通じて該収納空間内に抜き挿し可能に挿入することで位置変更可能に保持する保持部を前記家具本体に形成するとともに、前記保持部による任意の配置位置へ中仕切り部材が略直立姿勢から傾斜して挿入されることを防止する傾斜防止手段を設け、中仕切り部材の少なくとも一方の外側面と、該外側面と対向する家具本体の側壁内面とに、左右に対をなして奥行き方向に延び収納空間を更に上下に区画する棚板を開口部から挿入させて支持し得る棚受け溝を形成し、前記棚受け溝に、前記開口部における開口縁部において挿入された棚板の抜き出し方向への水平移動を規制する段部を形成していることを特徴としている。なお、本発明において中仕切り部材は、家具本体に対して一つだけであるとは限らず、複数用いることもできるものである。
【０００６】
このような構成のものであれば、傾斜防止手段により中仕切り部材が所定姿勢を維持したままで何れかの保持部に保持されて収納空間内に配置されるので、中仕切り部材の挿入時に慎重を期さずとも簡単で正確な配置が行えるようになる。加えて、中仕切り部材の配置位置はその抜き挿しにより変更することができるため、使用目的や収納される物品の種類などに応じて収納空間の仕切り方の態様の変更が容易である。したがって、このような収納家具を例えば学校等において低年齢の子どもが使用するようにしても、子ども達自身で中仕切り部材の組み替えを簡単に行わせることができる。
【０００７】
家具本体が、上壁と底壁と左右の側壁とを備え少なくとも前面側に形成された開口部を通じて外部に開放される収納空間を有するものであり、該収容空間を左右に区画し得る中仕切り部材を起立姿勢で配置する場合、傾斜防止手段は、保持部による任意の配置位置へ中仕切り部材が略直立姿勢から傾斜して挿入されることを防止するものとすることが好ましい。
【０００８】
具体的に好ましい保持部の態様には、上壁及び底壁における相互に対向する位置にそれぞれ上下に対をなして形成され前記開口部から奥行き方向に延びる所定幅寸法を有する複数のガイド溝からなるものが挙げられ、中仕切り部材により区画される収容空間の態様の多様性を高めるには、複数のガイド溝を家具本体の幅方向に所定間隔で形成するとよい。
【０００９】
中仕切り部材の挿入を容易なものとし、且つ挿入後の中仕切り部材の安定化を図るためには、ガイド溝の底部を家具本体の開口縁部と略同一の高さ位置に設定し、隣接するガイド溝間に前記開口縁部から突出して奥行き方向に延びる突条を形成することが望ましい。ここで、「底部」とは、家具本体の下端側においてはガイド溝の上向面を含む領域を意味し、上端側においてはガイド溝の下向面を含む領域を意味している。
【００１０】
この場合、傾斜防止手段として適した構成には、前記突条と、中仕切り部材が直立姿勢から傾斜した際に該突条と干渉するように中仕切り部材の上端部及び下端部に形成された干渉部からなるものが挙げられる。特に、中仕切り部材のうち実質的に収納空間を仕切る部位における厚さを可能な限り薄くして収納空間の容積を広く確保しつつ、好適な干渉部を構成するには、中仕切り部材がガイド溝の幅寸法よりも薄い板状の中仕切り本体を具備するものとして、少なくとも上下何れかの前記干渉部が中仕切り本体の上端部又は下端部の少なくとも一方においてガイド溝に挿入できる程度に中仕切り本体よりも幅広に形成した板状のものとするとよい。
【００１１】
中仕切り本体を、強度があり且つ簡素な構成のものとするには、干渉部を形成した芯材を相互に係り合う一対の仕切り板で両側方から抱き合わせる構造のものとすることが好ましい。
【００１２】
本発明では、中仕切り部材の少なくとも一方の外側面と及びそれと対向する家具本体の側壁内面に、収納空間を更に上下に区画する棚板を家具本体の開口部から挿入させて支持し得るように左右に対をなして奥行き方向に延び棚受け溝を形成している。これにより、中仕切り部材を有効に利用して、縦方向の仕切りだけでなく着脱の容易な横方向の仕切りをも設け、区画される収納空間の態様を更に多様化することができる。なお、棚板も一つに限らず複数用いることができる。中仕切り板及び棚板の両方を規則正しく配置するには、棚受け溝を上下方向に所定間隔で複数形成することが好適である。
【００１３】
また、本発明では、棚受け溝に開口部における開口縁部において挿入された棚板の抜き出し方向への水平移動を規制する段部を形成している。これにより、棚受け溝への棚板の挿入の容易性を損なうことなく、棚受け溝に一旦差し込んだ棚板が容易に抜け落ちることがない。
【００１４】
部材の共通化を図り極めて簡単な構成で中仕切り部材側及び家具本体側に棚受け溝を形成するためには、中仕切り部材の外側面を棚受け溝を形成した仕切り板により構成し、さらにその仕切り板と同一構成の側板によって家具本体の側壁内面を構成することが有効である。この場合、強度が高い家具本体の側壁を構成し、さらにその側壁に前記仕切り板を取り付け得るようにするには、その側壁を枠体とそれに嵌め込んで支持されるパネル板とを主体として構成し、そのパネル板の内側面に前記仕切り板を取り付けるようにするとよい。また、このような側壁の構成を有効に利用して、多連式の収納家具を構築し得るようにするためには、前記枠体を介して複数の家具本体を連結し得るようにすればよい。
【００１５】
上述した起立姿勢の中仕切り部材をガイド溝に嵌め込む態様の収納家具において、上壁及び底壁にガイド溝を簡単に形成するには、それら上壁及び底壁を平板状の天板及び底板を主体とするものとし、ガイド溝が形成されたシート材を天板及び底板の相互に対向する面に取り付けるようにすることが有効となる。
【００１６】
また、収納家具の設置場所や収納される物品の特性によっては、収納空間を背後から隠したり開放したりと態様を変化させられるようにすることが好ましく、そのためには家具本体における開口部と前後方向に対向する位置に、背壁を着脱可能に取り付け得るように構成するとよい。
【００１７】
【発明の実施の形態】
以下、本発明の一実施形態を、図面を参照して説明する。
【００１８】
図１に示す本実施形態の収納家具Ｑは、例えば学校やオフィス等で使用され、図示しない書物や手荷物、コンピュータやその周辺機器、プリント用紙やコピー用紙や書類など、種々の物品を収納しておくためのものである。この収納家具Ｑは主として、箱形をなし前記物品を収納し得る収納空間Ｑ１ｓを有する家具本体Ｑ１と、その家具本体Ｑ１に着脱することで収納空間Ｑ１ｓを区画するための使用される中仕切り部材Ｑ２と、中仕切り部材Ｑ２と家具本体Ｑ１との間に渡して若しくは複数の中仕切り部材Ｑ２を使用する場合はそれら中仕切り部材Ｑ２同士の間にも渡して設けられる棚板Ｑ３とから構成される。以下、各部の構成について説明する。
【００１９】
家具本体Ｑ１は、左右の両側壁Ｑ１１、上壁Ｑ１２、底壁Ｑ１３及び背壁Ｑ１４から構成される筐体状をなすものであり、これら各壁によって包囲され前面側に開口部Ｑ１ｓａを有する空間を収納空間Ｑ１ｓとしたものである。
【００２０】
具体的に説明すると、側壁Ｑ１１は、図１及び図２に示すように、概略矩形状をなす枠体Ｒ及びこの枠体Ｒに支持されるパネル板Ｐ１１によって構成される側部パネルＱ１１１と、側部パネルＱ１１１の内側面に取り付けた内側板Ｑ１１３とを具備している。側部パネルＱ１１１を構成する枠体Ｒは、四隅にそれぞれ配置されるコーナー部材Ｒ１と、隣接するコーナー部材Ｒ１同士を垂直方向又は水平方向にそれぞれ接続するフレーム部材Ｒ２とからなるものである。各コーナー部材Ｒ１は、いずれもアルミダイカスト製部材であり、正面視概略Ｌ字形をなすように相互に略直交する水平部Ｒ１１と垂直部Ｒ１２とを有している。これら水平部Ｒ１１及び垂直部Ｒ１２の内向面には、両者に連続して各端部に開口し断面視コ字形をなしてＬ字状に連続する溝Ｒ１３を形成している。また、水平部Ｒ１１及び垂直部Ｒ１２の各端面には、直方体状をなしてさらに突出する突起部Ｒ１４を前記溝Ｒ１３と干渉しないように形成している。これら突起部Ｒ１４には、フレーム部材Ｒ２をコーナー部材Ｒ１に固定するためのねじ孔Ｒ１４ａを両側面に対に形成している。さらに、水平部Ｒ１１と垂直部Ｒ１２とが交差する角部分には、幅方向に貫通する貫通孔Ｒ１５を設けており、その貫通孔Ｒ１５が開口するコーナー部材Ｒ１の両側面にその貫通孔Ｒ１５と同心でそれよりも大径の円形状をなす凹陥部Ｒ１５ａをそれぞれ形成している。また、水平部Ｒ１１と垂直部Ｒ１２の各外側面における奥行き方向略中央部に、前記溝に連通するねじ孔Ｒ１６を設けている。そして、そのねじ孔Ｒ１６が開口する外側面にも、ねじ孔Ｒ１６と同心でそれよりも大径の円形状をなす凹陥部Ｒ１６ａをそれぞれ形成している。なお、４つのコーナー部材Ｒ１は、いずれも同一の構成、形状及び大きさを有している。
【００２１】
一方、フレーム部材Ｒ２は、図１及び図２に示すように、いずれも長手方向に略等断面形状を有するアルミ素材の押し出し成形による断面凹形をなす中空の角パイプ材であり、必要な適宜長さに切断して用いられる。具体的に各フレーム部材Ｒ２には、それぞれ両端部において中空部Ｒ２１内にコーナー部材Ｒ１の突起部Ｒ１４を挿入した姿勢でコーナー部材Ｒ１に取り付けられる。そして、その取り付け姿勢におけるフレーム部材Ｒ２の内向面に、奥行き方向中央部を凹没させて長手方向に延びる溝Ｒ２２を形成している。すなわち、この溝Ｒ２２は、コーナー部材Ｒ１に形成した溝Ｒ１３と略同一の幅及び深さを有しており、コーナー部材Ｒ１の溝Ｒ１３とフレーム部材Ｒ２の溝Ｒ２２とによって、枠体Ｒの内向面に連続する溝部Ｒａが形成される。また、各フレーム部材Ｒ２をコーナー部材Ｒ１に取り付けた状態で、コーナー部材Ｒ１のねじ孔Ｒ１４ａと合致するフレーム部材Ｒ２の両端部における両側面には、フレーム部材Ｒ２をコーナー部材Ｒ１に固定するためのねじＲ３を挿通し得る貫通孔Ｒ２３を形成している。このようなフレーム部材Ｒ２は、側部パネルＱ１１１の上下左右の端部となる位置にそれぞれ水平姿勢又は垂直な起立姿勢で配置され、その上下左右の四隅に配置される４つのコーナー部材Ｒ１と共に、図１に示すような矩形の枠体Ｒを構成している。
【００２２】
パネル板Ｐ１１は、天然木、ＭＤＦ、集成材、積層板等の木質板や、樹脂製板又はそれらを複層に重合したもの等のうちの何れかからなるものであり、上下左右の端部を前記枠体Ｒの溝部Ｒａに挿入されることによりその枠体Ｒに支持されるものである。そのためにパネル板Ｐ１１は、何れの素材からなるものであっても、前記コーナー部材Ｒ１及びフレーム部材Ｒ２の各溝の開口幅寸法と略等しい若しくはそれよりも若干小さい幅寸法を有している。なお、パネル板Ｐ１１の素材は、使用目的や使用場所、使用者の対象年齢などによって任意に決定されるうえに、パネル板Ｐ１１のみの交換も可能である。また、パネル板Ｐ１１のサイズ補正とガタツキ防止を兼ねて、少なくともパネル板の下端とその下端部が挿入される溝部との間には、図示しないクッション材が設けられることもある。
【００２３】
このような構成の側部パネルＱ１１１では、下端部側に配置される一対のコーナー部材Ｒ１において下向きに開口するねじ孔Ｒ１６に、接地部材としてキャスタＱ１１２を装着することによって、家具本体Ｑ１を移動可能に支持させている。そしてこのキャスタＱ１１２の存在により、家具本体Ｑ１の下端部の床面からの高さを例えば約８５ｍｍとしている。なお、接地部材としてはアジャスタを適用することもできる。また、家具本体Ｑ１の高さ寸法や奥行き寸法は、フレーム部材Ｒ２の長さによって適宜に定められる。なお、前記内側板Ｑ１１３は、中仕切り部材Ｑ２の構成要素である仕切り板Ｑ２４と略同様の構成であるため、これについては後述する中仕切り部材Ｑ２の構成説明と併せて説明するものとする。
【００２４】
上壁は、図１〜図４に示すように、前記側壁Ｑ１１の上面と略面一な上面を有する天板Ｑ１２１と、この天板Ｑ１２１の下向面側に設けられ中仕切り部材Ｑ２の上端部を支持するためのガイド溝Ｑ１２２ａを形成したシート材Ｑ１２２とから構成される。天板Ｑ１２１は、側壁Ｑ１１の奥行き寸法と略等しい奥行き寸法と所定の幅寸法を有する板状の部材である。本実施形態では例えば合板Ｑ１２１ａ1とＭＤＦ板Ｑ１２１ａ2とを上下に張り合わせて一体の板材とした天板本体Ｑ１２１ａと、この天板本体Ｑ１２１ａと略同一の幅寸法を有しその前端部及び後端部にそれぞれ接着などにより取り付けられる前後一対の面木Ｑ１２１ｂとからなるものである。この面木Ｑ１２１ｂは、前記コーナー部材Ｒ１の角部の丸みを帯びた形状に対応して、反天板本体側の上端部側の角部に面取りを施している。ただし、面木Ｑ１２１ｂの厚み寸法は天板本体Ｑ１２１ａのそれよりも若干厚く設定されており、下向面を天板本体Ｑ１２１ａの下向面よりもその厚い分だけ突出させている。なお、天板Ｑ１２１としては必ずしもこのような構成に限られず、例えば例えば無垢の板材等の均一な素材からなる一枚板を適用することもできる。前記面木Ｑ１２１ｂにおける前後左右４箇所の側端部には、図２に示すように、それぞれ円筒状のくり抜き穴Ｑ１２１ｃを形成しており、そのくり抜き穴Ｑ１２１ｃにねじ孔を有するパイプ状ナット部材Ｑ１２１ｄを挿入して、そのねじ孔を面木Ｑ１２１ｂの側端面に開口させている。そして、前記コーナー部材Ｒ１の貫通孔Ｒ１５の周囲に形成した凹陥部Ｒ１５ａの深さと略等しい頭部を有するジョイントボルトＱ１２１ｅをその凹陥部Ｒ１５ａに連通する貫通孔Ｒ１５に挿入した位置で対応する天板Ｑ１２１のパイプ状ナット部材Ｑ１２１ｄに締着することによって、天板Ｑ１２１を両側壁Ｑ１１に合計４箇所で固定するようにしている。なお、本実施形態では天板Ｑ１２１に対して４つのパイプ状ナット部材Ｑ１２１ｄを設けているが、それ以外に天板の前端部及び後端部において形成されるくり抜き穴をそれぞれ幅方向に連通させ、そこに天板の幅寸法と略等しい長さの前後一対のパイプ状ナット部材をそれぞれ挿入するようにしてもよい。
【００２５】
一方、シート材Ｑ１２２は、前記天板本体Ｑ１２１ａと面木Ｑ１２１ｂとの厚みの差分に略合致する厚み寸法を有するスチール製の板材であり、プレス加工により奥行き方向に延びる複数のガイド溝Ｑ１２２ａを幅方向に所定ピッチで形成している。本実施形態では例えばこれらガイド溝Ｑ１２２ａの幅寸法を約５０ｍｍ、深さ寸法を約２ｍｍ、ピッチを約５０ｍｍにそれぞれ設定している。すなわち、隣接するガイド溝Ｑ１２２ａ間には、ガイド溝Ｑ１２２ａの底部と２ｍｍ程度の高さを違えて５０ｍｍ程度の幅をもって突出しガイド溝Ｑ１２２ａに沿って延びる突条Ｑ１２２ｂがそれぞれ形成されていることになる。そしてその突条Ｑ１２２ｂの上向面を天板本体Ｑ１２１ａの下向面に接着などすることによって、シート材Ｑ１２２を天板Ｑ１２１に取り付けている。このとき、ガイド溝Ｑ１２２ａの底面は、収納空間Ｑ１ｓの開口縁部となる位置に設けられた面木Ｑ１２１ｂの下向面と略面一となっている。
【００２６】
また、底壁Ｑ１３は、図１、図３及び図４に示すように、前記枠体Ｒの底面と略面一な底面を有する底板Ｑ１３１と、この底板Ｑ１３１の上向面側に設けられ中仕切り部材Ｑ２の下端部を支持するためにガイド溝Ｑ１３２ａを形成したシート材Ｑ１３２とから構成される。ここで本実施形態において底壁Ｑ１３は、前記上壁Ｑ１２を上下反転させたものと略同一のものを適用しているため、底板Ｑ１３１及びシート材Ｑ１３２の構成は、上壁Ｑ１２における天板Ｑ１２１とシート材Ｑ１２２の構成と略同一である。すなわち、詳述しないが底板Ｑ１３１は天板Ｑ１２１と同様に底板本体Ｑ１３１ａと前後一対の面木Ｑ１３１ｂとから構成されるものであり、またシート材Ｑ１３２にはガイド溝Ｑ１３２ａ及び突条Ｑ１３２ｂを複数形成している。底壁Ｑ１３においてガイド溝Ｑ１３２ａの底面と前端部側の面木Ｑ１３１ｂの上向面とは略面一である。ただし、後端部側の面木Ｑ１３１ｂは底板本体Ｑ１３１ａとの境界部分において幅方向に延びて上方に開口する断面矩形状の切り欠きを形成しており、この切り欠きに、底板Ｑ１３１に貼り付けられたシート材Ｑ１３２の突条Ｑ１３２ｂよりも若干高い位置まで、中仕切り部材Ｑ２が底板本体Ｑ１３１ａの後端部よりも奥に押し込まれることを防止するための薄板状をなす当たり板Ｑ１３３を挿入して設けている。
【００２７】
ここで、上壁Ｑ１２側及び底壁Ｑ１３側の上下のシート材Ｑ１２２、Ｑ１３２は、図２に示すように、幅方向において各ガイド溝Ｑ１２２ａ、Ｑ１３２ａの位相を一致させ、上下に一対のガイド溝Ｑ１２２ａ、Ｑ１３２ａが対面し合うように設けられており、これら一対のガイド溝Ｑ１２２ａ、Ｑ１３２ａによって中仕切り部材Ｑ２を垂直な姿勢に保持する保持部Ｑ１ｘを構成している。
【００２８】
背壁Ｑ１４は上壁及び底壁の後端部において、必要に応じて着脱可能に設けられる。本実施形態ではこの背壁を、収納空間Ｑ１ｓの開口部Ｑ１ｓａに略等しい大きさの矩形状をなす背板から構成している。この背板の厚み寸法は、前記当たり板Ｑ１３３の後向面から後端部側の面木Ｑ１２３ｂの後向面までの距離に略等しく設定されている。このような背板を所定位置に起立姿勢で配置するために、背板の上面及び下面における両側端部に縦穴Ｑ１４１をそれぞれ形成し、さらに縦穴Ｑ１４１内にその深さに略等しい長さを有するねじ付きシャフトＱ１４３を挿入している一方、前記縦穴Ｑ１４１の形成位置に対応する上下の面木Ｑ１２１ｂ、Ｑ１３１ｂにおける箇所に鬼目ナットＱ１４４を設けている。また、背板の表面には縦穴Ｑ１４１の下端部又は上端部に連通する横穴Ｑ１４２を形成している。そして、背板を取り付ける際には、まず各ねじ付きシャフトＱ１４３をそれぞれ縦穴Ｑ１４１内に没入させておいて所定箇所に背板を配置し、横穴Ｑ１４２から工具等を差し込んでそれらねじ付きシャフトＱ１４３を回転させることによって鬼目ナットＱ１４４に締着するようにしている。また、横穴Ｑ１４２には前面側への開口を塞ぐためのキャップＱ１４５をそれぞれ装着している。なお、本実施形態において背壁Ｑ１４は例えばＭＤＦ等からなる一枚の背板から構成しているが、このようなもの以外にも、ＭＤＦ板と合板とを張り合わせた板材、露出する平面側にのみ掲示用のコルクボードを貼り付けたものなど、種々の背板を適用することができる。
【００２９】
次に、中仕切り部材Ｑ２の構成について説明する。この中仕切り部材は、図１、図３〜図５に示すように、中仕切り本体Ｑ２１と、中仕切り本体Ｑ２１の上端部及び下端部に設けた干渉部たるプレートＱ２２とから構成される。また、プレートＱ２２と中仕切り本体Ｑ２１との間には、高さ補正のための薄板状のスペーサＱ２５が設けられている。中仕切り本体Ｑ２１は、更に芯材Ｑ２３及び一対の仕切り板Ｑ２４とから構成される。芯材Ｑ２３は、収納空間Ｑ１ｓの高さ寸法に略等しい長手寸法を有する一対の角パイプ材からなるものであり、それらの上端部及び下端部を前記プレートＱ２２によって連結することによって側面視ロ字形の枠状フレームを構成している。このプレートＱ２２は、上下に対をなす前記ガイド溝Ｑ１２２ａ、Ｑ１３２ａ内に挿入されるものであり、幅、厚み及び奥行きの各寸法をそれぞれガイド溝Ｑ１２２ａ、Ｑ１３２ａの幅、深さ、奥行きの各寸法に略対応させている。そして、両プレートＱ２２を上下に対向させた位置で、それらの前端部及び後端部からそれぞれ所定距離相寄った箇所に芯材Ｑ２３をそれぞれ起立姿勢で溶接している。
【００３０】
一方、仕切り板Ｑ２４は、図５に示すように、芯材Ｑ２３を挟んで左右から抱き合わせることによって相互に係り合う半割り構造を有している。各仕切り板Ｑ２４は、いずれも例えばアクリルの一体成形により上壁Ｑ２４１、下壁Ｑ２４２、前壁Ｑ２４３、後壁Ｑ２４４及び側壁Ｑ２４５を形成したものであり、側壁Ｑ２４５の外面側に奥行き方向へ延びる棚受け溝Ｑ２４６を例えば約４５ｍｍ間隔の定ピッチで複数形成している。これら棚受け溝Ｑ２４６は約１８ｍｍの開口幅寸法を有しており、前壁Ｑ２４３及び後壁Ｑ２４４において前後に開放されている。また、収納空間Ｑ１ｓの開口縁部に位置する棚受け溝Ｑ２４６の開口端部には、その上向面に高さ及び奥行き約２ｍｍ程度に突出する段部Ｑ２４７を形成している。また、一方の仕切り板Ｑ２４の側壁Ｑ２４５における内面側の適宜箇所には、特に図５に示すように、さらに内向に突出する係合突部Ｑ２４ａを形成しており、他方の仕切り板Ｑ２４の側壁Ｑ２４５における内側面には前記係合突部Ｑ２４ａに対応する位置にその係合突部Ｑ２４ａを弾性変形させて係り合う係合凹部Ｑ２４ｂを内向に突出させて形成している。さらに、同図（ｂ）に示すように、これら係合突部ｑ２４ａと係合凹部Ｑ２４ｂとを係り合わせて仕切り板Ｑ２４同士を抱き合わせた場合、前記芯材Ｑ２３が通過することになる上壁Ｑ２４１及び下壁Ｑ２４２には、それぞれ芯材Ｑ２３の幅寸法の半分の深さに切り欠いた平面視矩形状の切り欠き部Ｑ２４ｃを形成している。このような構成によって、左右一対の仕切り板Ｑ２４と、前後一対の芯材Ｑ２３と、上下一対のプレートＱ２２とからなるこの中仕切り部材Ｑ２では、２枚の仕切り板Ｑ２４の合計幅寸法すなわち中仕切り本体Ｑ２１の幅寸法が前記ガイド溝Ｑ１２２ａ、Ｑ１３２ａの幅寸法の約半分になるようにしている。ここで、プレートＱ２２の幅は中仕切り本体Ｑ２１の幅よりも大きく且つガイド溝Ｑ１２２ａ、Ｑ１３２ａの幅に略対応しているため、中仕切り部材Ｑ２を直立姿勢から傾けて挿入しようとすると、プレートＱ２２とガイド溝Ｑ１２２ａ、Ｑ１３２ａ間の突条Ｑ１２２ｂ、Ｑ１３２ｂとが干渉することになり、上下に対応しないガイド溝Ｑ１２２ａ、Ｑ１３２ａには挿入できない。すなわち、前記プレートＱ２２と突条Ｑ１２２ｂ、Ｑ１３２ｂとによって、中仕切り部材Ｑ２の傾斜姿勢でのガイド溝Ｑ１２２ａ、Ｑ１３２ａへの挿入を禁止する傾斜防止手段Ｑ２ｘを構成していることになる。その一方、中仕切り部材Ｑ２を直立姿勢にすると、図６に示すように、上下に対をなすガイド溝Ｑ１２２ａ、Ｑ１３２ａに後方へスライドさせて容易に挿入することができる。
【００３１】
ここで、家具本体Ｑ１の側壁Ｑ１１における内側面を構成する内側板Ｑ１１３には、前記中仕切り部材Ｑ２を構成する仕切り板Ｑ２４と略同様の部材を用いている。すなわち、図３に示すように、それぞれ内側板Ｑ２４同士を対面させた姿勢で、側部パネルＱ１１１におけるパネル板Ｐ１１の内向面にビス止め等により取り付けている。この状態で、中仕切り部材Ｑ２を何れかのガイド溝Ｑ１２２ａ、Ｑ１３２ａに挿入すると、その中仕切り板Ｑ２と家具本体Ｑ１の側壁Ｑ１１との間には、それぞれ棚板Ｑ３の側端部を挿入させて支持し得る棚受け溝Ｑ２４６、Ｑ１１３ａが対面配置されることになる。
【００３２】
このように左右に対をなす棚受け溝Ｑ２４６、Ｑ１１３ａに挿入される棚板Ｑ３は、棚受け溝Ｑ２４６、Ｑ１１３ａの前端部における開口幅寸法、すなわち段部Ｑ２４７、Ｑ１１３ｂの上面からそのガイド溝Ｑ１２２ａ、Ｑ１３２ａの下向面との距離よりも若干小さい厚み寸法と、収納空間Ｑ１ｓの奥行き寸法よりも前記段部Ｑ２４７、Ｑ１１３ｂの奥行き寸法分だけ短い奥行き寸法とを有する矩形板材からなる。本実施形態では、棚板Ｑ３をＭＤＦの一枚板からなるものとしているが、必ずしもそれに限られるものではない。また、棚板Ｑ３は、例えば一つの中仕切り部材Ｑ２のみを用いて収納空間Ｑ１ｓを左右二室に区画した場合は、その中仕切り部材Ｑ２における棚受け溝Ｑ２４６の底部とそれに対向する家具本体Ｑ１の側壁の内側板における棚受け溝Ｑ１１３ａの底部との間の距離に略一致したの幅寸法のものが用いられる。また、複数の中仕切り部材Ｑ２によって収納空間Ｑ１ｓを左右に三室以上に仕切った場合は、隣接する中仕切り部材Ｑ２同士の間にも棚板Ｑ２を配置できるため、その棚板Ｑ３には、それら中仕切り部材Ｑ２同士において対向する棚受け溝Ｑ２４６の底部間距離に対応する幅寸法のものが用いられる。さらに、中仕切り部材Ｑ２を全く用いない場合、家具本体Ｑ１の内側板Ｑ１１３同士の間に棚板Ｑ３を配置することができるので、それら内側板Ｑ１１３において対向する棚受け溝Ｑ１１３ａの底部間距離に対応する幅広な棚板Ｑ３を適用してもよい。上述した何れの場合であっても、棚板Ｑ３を配置する際には、図６に示すように、その後端部から段部Ｑ２４７、Ｑ１１３ｂを乗り越えさせて棚受け溝Ｑ２４６、Ｑ１１３ａ内に挿入し、略水平になるまで押し込む。このように棚板Ｑ３を完全に収納空間Ｑ１ｓ内へスライド挿入すると、棚板Ｑ３の前端部は段部Ｑ２４７、Ｑ１１３ｂによって前方を遮られているため、前方への抜け出しが簡単に防止される。逆に棚板Ｑ３を収納空間Ｑ１ｓ内から取り出す際には、その前端部を若干持ち上げて段部Ｑ２４７、Ｑ１１３ｂを乗り越えさせたうえで引き出すだけでよい。
【００３３】
以上のように、本実施形態の収納家具Ｑでは、中仕切り部材Ｑ２を収納空間Ｑ１ｓへ抜き挿しすることで、任意のガイド溝Ｑ１２２ａ、Ｑ１３２ａを介して家具本体Ｑ１の幅方向へ挿入位置を変更することが容易である。しかも、中仕切り部材Ｑ２の実質的に仕切りとして機能する中仕切り本体Ｑ２１をガイド溝Ｑ１２２ａ、Ｑ１３２ａの幅よりも薄くしているにも拘わらず、その挿入の際に傾いた姿勢では挿入され得ないため、仕切り位置の変更を容易に行うことが可能である。そのうえ、中仕切り部材Ｑ２と家具本体Ｑ１の側壁Ｑ１１の内面とに形成した上下に多段の棚受け溝Ｑ２４６、Ｑ１１３ａには棚板Ｑ３を挿入して配置することができるため、収納空間Ｑ１ｓを更に多様な態様で区画することができる。
【００３４】
なお、本発明に係る収納家具は、上述の実施形態の構成を有するものに限られない。以下、前記実施形態と同一の部材には同一符号を付して説明する。例えば、図７に変形例として示す収納家具Ｑａのように、家具本体Ｑ１ａにおける上壁Ｑ１２ａを側壁Ｑ１１の上端部よりも低位置に設定し、上壁Ｑ１２ａの上面と側壁Ｑ１１の内向面と背壁Ｑ１４の前面とで包囲される空間を、深底のトレー等の物品を載置し得る物置台などとして利用し得るようにしてもよい。
【００３５】
また、家具本体の側壁Ｑ１１を構成する枠体Ｒを利用して、例えば図８に示す変形例である収納家具Ｑｂのように、複数の家具本体Ｑ１ｂを連結できるようにすることもできる。この場合、図９に示す部分断面図のように、隣接する収納家具Ｑｂにおいて家具本体Ｑ１ｂの側壁Ｑ１１を共有している点と、上記実施形態において上壁Ｑ１２及び底壁Ｑ１３の構成要素である面木Ｑ１２１ｂ、Ｑ１３１ｂの代わりにパイプ部材Ｑ１２１ｂｂ、Ｑ１３１ｂｂを用いる点で、この変形例は上記実施形態と相違する。すなわち、収納家具Ｑｂの連結箇所では、一つの側壁Ｑ１１を構成する枠体Ｒにおける両側面に、貫通孔Ｒ１５を利用して突起状をなす一対の連結部材Ｑ４をボルトＱ４ａ及びナット孔Ｑ４ｂにより取り付け、さらにその連結部材Ｑ４を各家具本体Ｑ１ｂの上壁の一部である前記パイプ部材Ｑ１２１ｂｂに挿入したうえでビスＱ４ｃにより連結部材Ｑ４をパイプ部材Ｑ１２ｂｂに締着することによって、家具本体Ｑｂ同士を相互に連結するようにしている。このような構成によって２台以上の家具本体Ｑ１ｂを幅方向に連結すれば、多連式の収納家具Ｑｂを構成することが可能である。この他にも、隣接する家具本体の枠体同士を適宜の手段により連結すれば、上記の変形例のように枠体を共有せずとも多連式の収納家具を構成することができる。
【００３６】
その他、各部の具体的構成についても上記実施形態に限られるものではなく、本発明の趣旨を逸脱しない範囲で種々変形が可能である。
【００３７】
【発明の効果】
以上詳述したように、本発明の収納家具は、その収納空間を区画するための中仕切り部材を所定の姿勢を保ったまま位置変更可能に挿入し得るようにしたものであり、その挿入時に中仕切り部材が傾斜して挿入されないようにしている。そのため、使用目的等に応じて中仕切り部材の配置位置を自由に変更できるだけでなく、正規の姿勢で正規の位置に挿入することを簡単に行うことができるため、従来の収納家具のように中仕切り部材が傾いて収納空間に挿入されるような不具合を極めて簡単な構成で解消することができる。特に中仕切り部材、保持部、傾斜防止手段などの構成に工夫を凝らすことで、中仕切り部材の厚さを薄いものとしても上述の不具合が生じにくい有用な収納家具を構成することが可能である。
【図面の簡単な説明】
【図１】本発明の一実施形態を示す斜視図。
【図２】同実施形態の要部を拡大して示す分解斜視図。
【図３】同実施形態の収納家具を奥行き方向中央部で破断し後方視した一部を示す縦断面図。
【図４】同実施形態の収納家具を背壁の取付箇所で破断し右方視した一部を示す縦断面図。
【図５】同実施形態における中仕切り部材の構成を説明する断面図。
【図６】同実施形態における家具本体に中仕切り部材及び棚板を挿入する状態を示す斜視図。
【図７】同実施形態の一変形例を示す斜視図。
【図８】同他の変形例を示す斜視図。
【図９】同変形例の一部を示す断面図。
【符号の説明】
Ｑ…収納家具
Ｑ１…家具本体
Ｑ１ｓ…収納空間
Ｑ１ｓａ…開口部
Ｑ１ｘ…保持部
Ｑ２…中仕切り部材
Ｑ２ｘ…傾斜防止手段
Ｑ３…棚板
Ｑ１１…側壁
Ｑ１２…上壁
Ｑ１３…底壁
Ｑ１４…背壁
Ｑ２１…中仕切り本体
Ｑ２２…干渉部（プレート）
Ｑ２４…仕切り板
Ｑ１１３ａ、Ｑ２４６…棚受け溝
Ｑ１１３ｂ、Ｑ２４７…段部
Ｑ１２２ａ、Ｑ１３２ａ…ガイド溝
Ｑ１２２ｂ、Ｑ１３２ｂ…突条
Ｒ…枠体
Ｒａ…溝部
【図１】
0005110753.tif 000002
【図２】
0005110753.tif 000003
【図３】
0005110753.tif 000004
【図４】
0005110753.tif 000005
【図５】
0005110753.tif 000006
【図６】
0005110753.tif 000007
【図７】
0005110753.tif 000008
【図８】
0005110753.tif 000009
【図９】
0005110753.tif 000010